(57)【要約】【課題】荷物保持用のハンド部において、ハンド部に外れ防止用の内側部を設けた場合、ハンド部の内側部に外れ防止の機能を無理なく発揮させることができるようにする。【解決手段】ハンド部２０に、上下方向に配置された横側部３０と、横側部３０の下部から横方向に延出されて荷物を支持する支持部３１とが備えられる。横側部３０の上部から下側に延出されて、支持部３１における横側部３０の反対側の端部３１ｂとの間に間隔Ｗ１を開けて配置され、且つ、支持部３１よりも下側に突出する内側部３２が備えられている。【選択図】図８
2020040807.tif 000002
【特許請求の範囲】
【請求項１】
吊り下げ機構に接続されて吊り下げられる荷物保持用のハンド部であって、
上下方向に配置された横側部と、前記横側部の下部から横方向に延出されて荷物を支持する支持部とが備えられ、
前記横側部の上部から下側に延出されて、前記支持部における前記横側部の反対側の端部との間に間隔を開けて配置され、且つ、前記支持部よりも下側に突出する内側部が備えられている荷物保持用のハンド部。
【請求項２】
前記内側部に対して前記横側部の反対側から前記支持部を目視する為の目視部が備えられている請求項１に記載の荷物保持用のハンド部。
【請求項３】
前記目視部が、前記内側部に設けられた開口部である請求項２に記載の荷物保持用のハンド部。
【請求項４】
荷物の横壁部に設けられた上下方向のリブが入り込み可能な切り欠き部が、前記支持部に設けられている請求項１〜３のうちのいずれか一項に記載の荷物保持用のハンド部。
【請求項５】
前記横側部の上部から前記支持部と同じ側の横方向に延出された上側部と、
前記上側部における前記横側部の反対側の端部から上側に延出されて、前記吊り下げ機構が接続される接続部とが備えられて、
前記内側部が、前記上側部における前記横側部の反対側の端部から下側に延出されている請求項１〜４のうちのいずれか一項に記載の荷物保持用のハンド部。
【請求項６】
作業者が持つ為の持ち手部が、前記横側部から前記上側部及び前記支持部の反対側に突出するように、前記横側部に設けられている請求項５に記載の荷物保持用のハンド部。
【発明の詳細な説明】
【技術分野】
【０００１】
本発明は、作業者に装着されるアシスト器具や、建物の天井部に支持されたウインチ等において、吊り下げ機構に接続されて吊り下げるように使用されるもので、荷物を保持する為のハンド部に関する。
【背景技術】
【０００２】
作業者に装着されて使用されるアシスト器具として、特許文献１に開示されているものがある。特許文献１では、作業者に取り付けられる本体部から前側にアーム部が延出されて、アーム部から下側に延出されたワイヤ（吊り下げ機構に相当）に、荷物保持用のハンド部が接続されている。
【０００３】
特許文献１のハンド部では、上下方向に配置された横側部（特許文献１の図４の２７ａ）と、横側部の下部から横方向に延出された支持部（特許文献１の図４の２７ｂ）と、横側部の上部から下側に延出された内側部（特許文献１の図４の２７ｄ）とが備えられている。
【０００４】
これにより、特許文献１では、ハンド部の支持部により、荷物の横壁部に横外向きに設けられた突出部を、下側から支持することによって、ハンド部により荷物を保持するのであり、ハンド部の内側部が荷物の横壁部の内面に接触することにより、ハンド部の支持部から荷物の突出部が外れる状態が防止される（特許文献１の図６参照）。
【先行技術文献】
【特許文献】
【０００５】
【特許文献１】特開２０１８−２３４２号公報
【発明の概要】
【発明が解決しようとする課題】
【０００６】
特許文献１では、ハンド部の内側部の上下長さが比較的短いものであるので、荷物の上端部から少し下側の突出部を、ハンド部の支持部により支持しないと、ハンド部の内側部を荷物の横壁部の内面に接触させることができず、ハンド部の内側部に外れ防止の機能を発揮させることができない。
【０００７】
これによって、特許文献１のハンド部により荷物を保持する場合、ハンド部の横側部及び内側部の間に、荷物の横壁部の上端部を深く入り込ませて、ハンド部の内側部を荷物の横壁部の内面に接触させる必要があるので、作業性の面で改善の余地がある。
【０００８】
荷物の横壁部の上端部にしか突出部が存在しない場合、特許文献１のハンド部では、ハンド部の内側部を荷物の横壁部の内面に接触させることができず、ハンド部の内側部に外れ防止の機能を発揮させることができないので、この点においても作業性の面で改善の余地がある。
【０００９】
本発明は、荷物保持用のハンド部において、ハンド部に外れ防止用の内側部を設けた場合、ハンド部の内側部に外れ防止の機能を無理なく発揮させることができるようにして、ハンド部により荷物を保持する際の作業性の向上を図ることを目的としている。
【課題を解決するための手段】
【００１０】
本発明の荷物保持用のハンド部は、
吊り下げ機構に接続されて吊り下げられる荷物保持用のハンド部であって、
上下方向に配置された横側部と、前記横側部の下部から横方向に延出されて荷物を支持する支持部とが備えられ、
前記横側部の上部から下側に延出されて、前記支持部における前記横側部の反対側の端部との間に間隔を開けて配置され、且つ、前記支持部よりも下側に突出する内側部が備えられている。
【００１１】
本発明によると、ハンド部により荷物を保持する場合、ハンド部の支持部により、例えば荷物の横壁部の上端部の突出部を支持すると、荷物の横壁部がハンド部の支持部の端部と内側部との間に入り込むのであり、ハンド部の内側部が支持部よりも下側に突出していることによって、ハンド部の内側部を荷物の横壁部の内面に接触させることができる。
【００１２】
これにより、ハンド部の横側部及び内側部の間に、荷物の横壁部の上端部を深く入り込ませなくても、ハンド部の支持部により荷物（突出部）を支持することができ、ハンド部の内側部に外れ防止の機能を無理なく発揮させることができるのであり、ハンド部により荷物を保持する際の作業性の向上を図ることができる。
【００１３】
本発明において、
前記内側部に対して前記横側部の反対側から前記支持部を目視する為の目視部が備えられていると好適である。
【００１４】
本発明によると、ハンド部により荷物を保持する場合、作業者はハンド部の支持部の状態を、目視部により目視することができる。
これにより、作業者はハンド部の支持部の状態を確認しながら、ハンド部により荷物を保持する作業が行えるのであり、ハンド部により荷物を保持する際の作業性の向上を図ることができる。
【００１５】
本発明において、
前記目視部が、前記内側部に設けられた開口部であると好適である。
【００１６】
本発明によると、ハンド部の内側部の開口部を設けることにより、目視部を得ることができるので、構造の簡素化の面で有利なものとなる。
【００１７】
本発明において、
荷物の横壁部に設けられた上下方向のリブが入り込み可能な切り欠き部が、前記支持部に設けられていると好適である。
【００１８】
荷物の横壁部に突出部が設けられた場合、突出部の補強の為に、荷物の横壁部に上下方向にリブが設けられることがある。
本発明によると、荷物の横壁部に上下方向にリブが設けられている場合、ハンド部の支持部の切り欠き部に、荷物のリブを入り込ませながら、ハンド部の支持部により荷物の突出部を無理なく支持することができるのであり、ハンド部により荷物を保持する際の作業性の向上を図ることができる。
【００１９】
本発明において、
前記横側部の上部から前記支持部と同じ側の横方向に延出された上側部と、
前記上側部における前記横側部の反対側の端部から上側に延出されて、前記吊り下げ機構が接続される接続部とが備えられて、
前記内側部が、前記上側部における前記横側部の反対側の端部から下側に延出されていると好適である。
【００２０】
本発明によると、ハンド部の横側部の下部から横方向に支持部が延出され、ハンド部の横側部の上部から支持部と同じ側の横方向に上側部が延出されて、ハンド部の上側部における横側部の反対側の端部から下側に内側部が延出されており、ハンド部の横側部、支持部、内側部及び上側部で囲まれる空間が比較的大きなものとなっている。
【００２１】
これにより、ハンド部の支持部により荷物の突出部を支持する際に、荷物の一部がハンド部の前述の空間に入り込んでも、荷物の一部がハンド部の横側部、支持部、内側部及び上側部等に接触して、ハンド部の支持部による荷物の突出部の支持が妨げられるようなことは少なく、ハンド部の支持部により荷物の突出部を無理なく支持することができるのであり、ハンド部により荷物を保持する際の作業性の向上を図ることができる。
【００２２】
本発明によると、吊り下げ機構が接続される接続部が、ハンド部の上側部における横側部の反対側の端部から上側に延出されて、ハンド部の内側部から離れている。
これにより、ハンド部の支持部により荷物の突出部を支持して、ハンド部の内側部を荷物の横壁部の内面に接触させる際に、ハンド部の接続部（吊り下げ機構）が妨げになることは少ない。
【００２３】
本発明において、
作業者が持つ為の持ち手部が、前記横側部から前記上側部及び前記支持部の反対側に突出するように、前記横側部に設けられていると好適である。
【００２４】
本発明によると、作業者が持つ為の持ち手部をハンド部に設ける場合、ハンド部の接続部（吊り下げ機構）と持ち手部との間に、ハンド部の上側部が配置されて、ハンド部の接続部（吊り下げ機構）と持ち手部とが互いに離れた状態となっている。
これにより、作業者がハンド部の持ち手部を持った場合、吊り下げ機構が作業者の手に接触することが少なくなって、ハンド部により荷物を保持する際の作業性の向上を図ることができる。
【図面の簡単な説明】
【００２５】
【図１】作業者がアシスト器具を装着した状態での右側面図である。
【図２】作業者がアシスト器具を装着した状態での背面図である。
【図３】アシスト器具の斜視図である。
【図４】取付部の側面図である。
【図５】取付部の正面図である。
【図６】取付部にハンド部の接続部を取り付けた状態を示す側面図である。
【図７】ハンド部の縦断背面図である。
【図８】ハンド部及びスイッチ操作部の分解斜視図である。
【図９】ハンド部により荷物を保持する状態を示す縦断背面図である。
【図１０】ハンド部により荷物を保持する状態を示す縦断背面図である。
【図１１】ハンド部により荷物を保持する状態を示す縦断背面図である。
【図１２】ハンド部により荷物を保持する状態を示す縦断背面図である。
【図１３】発明の実施の第１別形態において、ハンド部の斜視図である。
【発明を実施するための形態】
【００２６】
図１〜図１３に、本発明の荷物保持用のハンド部２０が使用されているアシスト器具が示されており、アシスト器具は作業者が装着して使用される。
本発明の実施形態における前後方向及び左右方向は、特段の説明がない限り、以下のように記載している。作業者がアシスト器具を装着した状態において、作業者から視て前側が「前」であり、後側が「後」であり、右側が「右」であり、左側が「左」である。
【００２７】
（アシスト器具の全体構成及び本体部）
図１，２，３に示すように、アシスト器具には、作業者の背中部に取り付けられる本体部１、本体部１の上部から上側に延出され前側に延出された右及び左のアーム部２、本体部１の下部に設けられた右及び左の脚作用部３が備えられており、作業者への装着用の取付ベルト４、右及び左の肩ベルト５が備えられている。
【００２８】
本体部１は、右及び左の縦フレーム６、右及び左の縦フレーム６に亘って連結された支持板７等を備えて、枠状となっている。支持板７の後面の上下中間部に制御装置８が取り付けられており、支持板７の後面の下部にバッテリー９が取り付けられている。
【００２９】
本体部１の下部に取付ベルト４が取り付けられ、支持板７の前面の上部及び下部に肩ベルト５が取り付けられている。右及び左の肩ベルト５の上部に亘って、固定ベルト５ａが取り付けられている。肩ベルト５の固定ベルト５ａは、中間部分のバックル部材により左右に分離可能で、長さ調節自在である。
【００３０】
作業者の腕部及び肩部を肩ベルト５に入れ、取付ベルト４を作業者の腰部に巻き付けて固定することにより、作業者の背中部に本体部１を取り付ける。肩ベルト５の固定ベルト５ａを連結状態としておくことにより、右及び左の肩ベルト５が、作業者の腕部側に移動して肩部から外れるような状態が防止される。
【００３１】
（アシスト器具の脚作用部）
図１，２，３に示すように、脚作用部３に、基部１０、伝動ケース１１、操作アーム１２及び脚ベルト１３等が備えられている。基部１０が、支持板７の下部の前部に、左右方向に取付位置を変更自在に支持されており、基部１０の外端部に伝動ケース１１が前向きに連結されている。
【００３２】
伝動ケース１１の前部の左右方向の軸芯Ｐ１周りに、操作アーム１２が揺動自在に支持されており、幅広のベルト状の脚ベルト１３が操作アーム１２に取り付けられている。複数の平ギヤにより構成された伝動機構（図示せず）が、伝動ケース１１の内部に備えられて、電動モータ（図示せず）が基部１０の内部に備えられており、電動モータにより伝動機構を介して操作アーム１２が軸芯Ｐ１周りに揺動操作される。
【００３３】
作業者は脚ベルト１３を太腿部に巻き付けて、面ファスナ（図示せず）（マジックテープ（登録商標））により、脚ベルト１３を太腿部に取り付ける。作業者がアシスト器具を装着した状態において、作業者の腰部の右側に右の脚作用部３（伝動ケース１１）が位置し、作業者の腰部の左側に左の脚作用部３（伝動ケース１１）が位置する。
【００３４】
（アシスト器具のアーム部及びワイヤ）
図１，２，３に示すように、右及び左の縦フレーム６の上部が、作業者の右及び左の肩部を越えて斜め上側に延出され斜め前側に延出されて、右及び左のアーム部２となっている。アーム部２の上端部に支持部材１６が取り付けられており、プーリー（図示せず）が支持部材１６に回転自在に支持されている。
【００３５】
支持板７の後面の上部に昇降装置１７が取り付けられており、昇降装置１７から、右の２本のワイヤ１８，１９（吊り下げ機構に相当）、及び左の２本のワイヤ１８，１９（吊り下げ機構に相当）が延出されている。
【００３６】
支持板７の上部にアウター支持部１５が連結され、支持部材１６にアウター支持部１６ａが備えられている。ワイヤ１８，１９のアウター１８ｂ，１９ｂの端部が、アウター支持部１５及び支持部材１６のアウター支持部１６ａに接続されて、ワイヤ１８，１９のインナー１８ａ，１９ａが昇降装置１７に接続されている。
【００３７】
右の２本のワイヤ１８，１９のインナー１８ａ，１９ａが、右の支持部材１６のプーリーに掛けられて下側に延出されている。右の２本のワイヤ１８，１９のインナー１８ａ，１９ａの下部に取付部２１が接続されており、取付部２１に右のハンド部２０が接続されている。
【００３８】
左の２本のワイヤ１８，１９のインナー１８ａ，１９ａが、左の支持部材１６のプーリーに掛けられて下側に延出されている。左の２本のワイヤ１８，１９のインナー１８ａ，１９ａの下部に取付部２１が接続されており、取付部２１に左のハンド部２０が接続されている。
【００３９】
（アシスト器具の取付部）
図４及び図５に示すように、取付部２１は平板状であり、ワイヤ１８，１９のインナー１８ａ，１９ａの下部が、取付部２１に揺動自在に接続されている。取付部２１に、２本の頭付きのピン２２が横向きに連結されており、ピン２２に、丸棒状の軸部２２ａと、軸部２２ａよりも大径の頭部２２ｂとが備えられている。
【００４０】
取付部２１におけるピン２２の間の部分に、開口部２１ａが開口されている。外れ止め部材２８が、取付部２１におけるピン２２の間の部分に、連結ピン２９により連結されている。
【００４１】
外れ止め部材２８は、板バネを折り曲げて形成されており、取付部２１に連結ピン２９によって連結される基部２８ａと、基部２８ａから延出された凸部２８ｂとが備えられている。外れ止め部材２８の凸部２８ｂが、取付部２１の開口部２１ａに入り込んで、ピン２２の頭部２２ｂ側に突出している。
【００４２】
（アシスト器具の昇降装置）
図１及び図２に示すように、昇降装置１７に、伝動機構（図示せず）を内装する上下向きの伝動ケース２５、伝動ケース２５の上部に横向きに連結された支持ケース２６、伝動ケース２５の下部に横向きに連結された電動モータ２７、支持ケース２６の内部で横向きの軸芯周りに回転自在に支持された４個の回転体（図示せず）が備えられている。
【００４３】
ワイヤ１８，１９のアウター１８ｂ，１９ｂの端部がアウター支持部１５に接続され、ワイヤ１８，１９のインナー１８ａ，１９ａが、支持ケース２６の内部の４個の回転体の各々に接続されている。
【００４４】
制御装置８により、電動モータ２７が作動操作される。電動モータ２７の動力が伝動ケース２５の内部の伝動機構を介して、支持ケース２６の内部の回転体に伝達されるのであり、回転体が巻き取り側及び繰り出し側に回転駆動される。
【００４５】
（ハンド部）
図７及び図８に、右及び左のハンド部２０が示されている。板材が折り曲げられて、ハンド部２０が形成されており、右及び左のハンド部２０は同じ形状となっている。
【００４６】
ハンド部２０において、上下方向に配置された横側部３０と、横側部３０の下部から横方向に延出された支持部３１と、横側部３０の上部から支持部３１と同じ側の横方向に延出された上側部３３と、上側部３３における横側部３０の反対側の端部から上側に延出された接続部３４とが備えられている。
【００４７】
支持部３１の中央部に、切り欠き部３１ａが設けられており、支持部３１の切り欠き部３１ａにつながる切り欠き部３０ａが、横側部３０に設けられている。
接続部３４の上部に、２個の第１開口部３８が開口されている。第１開口部３８の下側に位置して第１開口部３８に接続されるように、第１開口部３８よりも大径の第２開口部３９が開口されている。第１開口部３８及び第２開口部３９の間に、開口部３５が開口されている。
【００４８】
角パイプ状の持ち手部４６が、横側部３０から上側部３３及び支持部３１の反対側に突出するように設けられている。持ち手部４６の上面に、面ファスナ３６（マジックテープ（登録商標））が取り付けられている。持ち手部４６における上側部３３及び支持部３１の反対側の面に、面ファスナ３６（マジックテープ（登録商標））が取り付けられている。
【００４９】
ハンド部２０において、平板状の内側部３２が、接続部３４に連結されて下側（支持部３１側）に延出されている。これにより、内側部３２が横側部３０の上部から下側に延出された状態となっており、内側部３２が上側部３３における横側部３０の反対側の端部から下側に延出された状態となっている。
【００５０】
支持部３１における横側部３０の反対側の端部３１ｂと内側部３２との間に、間隔Ｗ１を開けるように、内側部３２が配置されており、内側部３２の下端部３２ａが、支持部３１よりも下側（横側部３０の反対側）に突出するように配置されている。内側部３２に、長方形状の開口部３２ｂ（目視部に相当）が開口されている。
【００５１】
（スイッチ操作部）
図７及び図８に示すように、ハンド部２０の面ファスナ３６に取り付け及び取り外し自在なスイッチ操作部４０が備えられている。スイッチ操作部４０に、合成樹脂により一体的に形成された外側部４１と、金属製の内側部４２とが備えられており、外側部４１の内面に内側部４２がビスにより連結されている。
【００５２】
内側部４２は、金属製の板材を折り曲げて形成されており、上下方向に配置される横側部４３、横側部４３の上部から横向きに延出される上側部４４、上側部４４の端部から上側に延出される横側部４５が備えられている。内側部４２において、横側部４３における上側部４４側の面に、面ファスナ３７（マジックテープ（登録商標））が取り付けられており、上側部４４の下面に、面ファスナ３７が取り付けられている。
【００５３】
右のハンド部２０に取り付けられる右のスイッチ操作部４０、及び、左のハンド部２０に取り付けられる左のスイッチ操作部４０は、左右対称の形状となっている。右のスイッチ操作部４０（外側部４１）に、上昇操作スイッチ２３が取り付けられ、左のスイッチ操作部４０（外側部４１）に、下降操作スイッチ２４が取り付けられている。
【００５４】
図１，２  ３に示すように、制御装置８に接続された右及び左のハーネス１４が、右及び左のアーム部２の内部に入っており、アーム部２の内部を通ってアーム部２の上端部に延出されている。アーム部２の上端部の開口部から、ハーネス１４が出て下側に延出されており、右のハーネス１４が上昇操作スイッチ２３に接続され、左のハーネス１４が下降操作スイッチ２４に接続されている。
【００５５】
（ハンド部（接続部）の取付部への取り付け及び取り外し）
図６及び図８に示すハンド部２０（接続部３４）の第１開口部３８及び第２開口部３９と、図４，５，６に示す取付部２１のピン２２の軸部２２ａ及び頭部２２ｂとにおいて、第１開口部３８は、ピン２２の軸部２２ａよりも少し大径であり、ピン２２の頭部２２ｂよりも小径である。第２開口部３９は、ピン２２の頭部２２ｂよりも大径である。
【００５６】
図４，５，８に示す状態は、ハンド部２０（接続部３４）が取付部２１から取り外された状態である。
図４及び図５に示すように、外れ止め部材２８の凸部２８ｂを、手で押して取付部２１の開口部２１ａに入り込ませながら、図６に示すように、ピン２２（軸部２２ａ及び頭部２２ｂ）を、第２開口部３９に入り込ませる。
【００５７】
次に、図６に示すように、取付部２１を少し上側に移動させて、ピン２２の軸部２２ａを、第２開口部３９から第１開口部３８に入り込ませる。ピン２２の軸部２２ａを第１開口部３８に入り込ませると、外れ止め部材２８の凸部２８ｂが、開口部３５に入り込んでピン２２の頭部２２ｂ側に突出し、外れ止め部材２８の凸部２８ｂが、開口部３５の下辺部に当たる状態となる。
【００５８】
以上の状態が、ハンド部２０（接続部３４）を取付部２１に取り付けた状態である。
ピン２２の軸部２２ａが第１開口部３８から第２開口部３９に移動しようとしても、外れ止め部材２８の凸部２８ｂが、開口部３５の下辺部に当たることによって、ピン２２の軸部２２ａの第２開口部３９への移動が止められて、ハンド部２０（接続部３４）は取付部２１から外れ難いものとなる。
【００５９】
ハンド部２０により荷物Ｂを保持した場合、荷物Ｂの重量がハンド部２０に下向きに掛かることにより、ピン２２の軸部２２ａが、第１開口部３８に保持されて、第１開口部３８から第２開口部３９に移動し難くなるのであり、ハンド部２０（接続部３４）は取付部２１から外れ難いものとなる。
【００６０】
ピン２２の軸部２２ａが第１開口部３８から抜け出そうとしても、ピン２２の頭部２２ｂによって、ピン２２の軸部２２ａは、第１開口部３８から抜け出すことはできないのであり、ハンド部２０（接続部３４）は取付部２１から外れ難いものとなる。
【００６１】
ハンド部２０（接続部３４）を取付部２１から取り外す場合、図６及び図７に示す状態において、外れ止め部材２８の凸部２８ｂを取付部２１の開口部２１ａに押し込むことにより、外れ止め部材２８の凸部２８ｂを開口部３５の辺部から外した状態とする。
【００６２】
この状態において、ピン２２の軸部２２ａを第１開口部３８から第２開口部３９に移動させ、ピン２２の頭部２２ｂを第２開口部３９から抜き出すことにより、ハンド部２０（接続部３４）を取付部２１から取り外すことができる。
【００６３】
図７は、取付部２１を接続部３４に対して上側部３３と反対側に位置させた状態で、ハンド部２０（接続部３４）を取付部２１に取り付けた状態となっている。
この場合、取付部２１を接続部３４に対して上側部３３側に位置させた状態で、前述と同じ操作を行うことにより、ハンド部２０（接続部３４）を取付部２１に取り付けることができる。
【００６４】
（スイッチ操作部のハンド部への取り付け及び取り外し）
図７及び図８に示すように、スイッチ操作部４０の面ファスナ３７を、ハンド部２０の面ファスナ３６に取り付けることにより、スイッチ操作部４０をハンド部２０に取り付けることができるのであり、上昇操作スイッチ２３（下降操作スイッチ２４）が、スイッチ操作部４０を介してハンド部２０に取り付けられる。
【００６５】
面ファスナ３６，３７の接続範囲は比較的広いものであるので、ハンド部２０におけるスイッチ操作部４０の取付位置を、面ファスナ３６，３７の接続範囲において任意に変更することができる。
【００６６】
スイッチ操作部４０の面ファスナ３７をハンド部２０の面ファスナ３６から取り外すことにより、スイッチ操作部４０がハンド部２０から取り外されるのであり、上昇操作スイッチ２３（下降操作スイッチ２４）がハンド部２０から取り外される。
【００６７】
前項の（ハンド部）（ハンド部（接続部）の取付部への取り付け及び取り外し）に記載のように、図６及び図８に示す第１開口部３８及び第２開口部３９、面ファスナ３６等の構成を備えたハンド部２０であれば、図７及び図８に示すハンド部２０に代えて、別のハンド部２０（接続部３４）を取付部２１に取り付けることができる（交換することができる）。
【００６８】
前述のように、取付部２１に各種のハンド部２０（接続部３４）を取り付けた場合（交換した場合）、スイッチ操作部４０の面ファスナ３７を、交換されたハンド部２０の面ファスナ３６に取り付けることにより、スイッチ操作部４０（上昇操作スイッチ２３及び下降操作スイッチ２４）を、各種のハンド部２０に共用することができる。
【００６９】
（制御装置による脚作用部及び昇降装置の作動）
図１及び図２に示すように、上昇操作スイッチ２３を押し操作した場合、後述する（アシスト器具の作業形態）に記載のように、上昇操作スイッチ２３を押し操作している間、脚作用部３において、電動モータにより操作アーム１２が下側に揺動操作されて、作業者の太腿部が下側に操作される。
【００７０】
脚作用部３の操作アーム１２が下側に揺動操作された後において、上昇操作スイッチ２３を押し操作した場合、後述する（アシスト器具の作業形態）に記載のように、上昇操作スイッチ２３を押し操作している間、昇降装置１７において、電動モータ２７により回転体が巻き取り側に回転駆動され、ワイヤ１８，１９のインナー１８ａ，１９ａが回転体に巻き取られて、ハンド部２０が上昇する。
【００７１】
下降操作スイッチ２４を押し操作した場合、下降操作スイッチ２４を押し操作している間、昇降装置１７において、電動モータ２７により回転体が繰り出し側に回転駆動され、ワイヤ１８，１９のインナー１８ａ，１９ａが回転体から繰り出されて、ハンド部２０が下降する。
【００７２】
上昇操作スイッチ２３及び下降操作スイッチ２４の押し操作を止めると、昇降装置１７において、電動モータ２７が停止する。
電動モータ２７に電磁ブレーキ（図示せず）が備えられており、電動モータ２７の作動時に電磁ブレーキは自動的に解除状態となり、電動モータ２７の停止時及び非通電時に電磁ブレーキは自動的に制動状態となる。
【００７３】
これにより、電動モータ２７が停止した状態において、昇降装置１７からワイヤ１８，１９のインナー１８ａ，１９ａが繰り出されることはなく、ハンド部２０に荷物Ｂの重量が掛かっても、ハンド部２０が下降することはない。
【００７４】
脚作用部３において、電動モータが停止状態になると、電動モータは自由回転状態となる。これにより、作業者が歩行する場合や、作業者が腰部を下に曲げたり、膝部を曲げて腰部を落としたりする場合、作業者の太腿部に追従するように操作アーム１２が揺動するのであり、作業者の動作が妨げられることはない。
【００７５】
（ハンド部による荷物の保持操作）
図６〜図１２に示すように、上側部が開放された合成樹脂製の箱状の荷物Ｂが想定されている。
【００７６】
このような荷物Ｂでは、荷物Ｂの横壁部Ｂ１の上端部の全周に亘ってフランジ状の突出部Ｂ２が形成され、突出部Ｂ２の下側に、荷物Ｂの横壁部Ｂ１の外周部の全周に亘ってフランジ状の突出部Ｂ３が形成されて、荷物Ｂの横壁部Ｂ１の外周部において突出部Ｂ２，Ｂ３の間の複数箇所に、上下方向のリブＢ４が形成されたものがある。
【００７７】
図９から図１０に示すように、荷物Ｂが床等に置かれている状態において、作業者はハンド部２０の持ち手部４６（スイッチ操作部４０）を持ち、ハンド部２０を横向きに設定して、ハンド部２０の支持部３１を荷物Ｂの突出部Ｂ２に接近させていく。荷物Ｂの突出部Ｂ２が、ハンド部２０の支持部３１の端部３１ｂと内側部３２との間に入り込むようにする。
【００７８】
これに伴なって、ハンド部２０の内側部３２の下端部３２ａが、荷物Ｂの横壁部Ｂ１を超えていき、ハンド部２０の支持部３１が、荷物Ｂの突出部Ｂ２，Ｂ３の間に入り込むのであり、ハンド部２０の支持部３１及び横側部の切り欠き部３１ａ，３０ａに、荷物ＢのリブＢ４が入り込む。
【００７９】
作業者は、ハンド部２０の内側部３２に対して横側部３０の反対側（上側）から、ハンド部２０の内側部３２の開口部３２ｂを通して、荷物Ｂの突出部Ｂ２や、ハンド部２０の横側部３０及び支持部３１等を目視することができる。
【００８０】
図１０に示す状態の後、図１１に示すように、作業者はハンド部２０の持ち手部４６（スイッチ操作部４０）を持ち、横向きのハンド部２０を起立姿勢に変更していくと、ハンド部２０の支持部３１が荷物Ｂの突出部Ｂ２の下面に接近していき、ハンド部２０の内側部３２（下端部３２ａ）が荷物Ｂの横壁部Ｂ１の内面に接近していく。
【００８１】
図１２に示すように、ハンド部２０を起立姿勢に設定すると、ハンド部２０の支持部３１が、荷物Ｂの突出部Ｂ２の下面に接触する状態となり、ハンド部０の内側部３２（下端部３２ａ）が、荷物Ｂの横壁部Ｂ１の内面に接触する状態となる。
【００８２】
図１２に示す状態において、ハンド部２０の支持部３１により、荷物Ｂ（突出部Ｂ２）が支持された状態となるのであり、ハンド部２０の横側部３０及び内側部３２の間に、荷物Ｂの横壁部Ｂ１の上端部を深く入り込ませなくても、ハンド部２０の支持部３１により荷物Ｂ（突出部Ｂ２）を支持することができる。
【００８３】
図１２に示す状態において、ハンド部２０の支持部３１が荷物Ｂ（突出部Ｂ２）から外側に外れようとしても、ハンド部２０の内側部３２（下端部３２ａ）が、荷物Ｂの横壁部Ｂ１の内面に当たることにより、ハンド部２０の支持部３１の荷物Ｂ（突出部Ｂ２）からの外れが防止される。
【００８４】
ハンド部２０を荷物Ｂから取り外す場合、図１２から図９に示すように、作業者はハンド部２０の持ち手部４６（スイッチ操作部４０）を持ち、前述の操作とは逆の操作を行うことにより、ハンド部２０を荷物Ｂから取り外すことができる。
【００８５】
（アシスト器具の作業形態）
例えば、パレットや床に置かれた荷物Ｂを高い棚やトラックの荷台に置くような場合、作業者が腰部を下に曲げたり、膝部を曲げて腰部を落としたりして、パレットや床の荷物Ｂを手で持ち、次に手を下に延ばした状態で荷物Ｂを持ちながら、腰部を上側に延ばしたり、立ち上がったりした後、次に手で荷物Ｂを持ち上げて、荷物Ｂを高い棚やトラックの荷台に置くような状態が想定される。
【００８６】
アシスト器具を装着した作業者が前述のような作業を行う状態において、上昇操作スイッチ２３及び下降操作スイッチ２４の押し操作に基づいて、制御装置８により脚作用部３及び昇降装置１７が作動する状態について説明する。
【００８７】
図１及び図２に示すように、作業者がアシスト器具を装着した状態において、作業者が上昇操作スイッチ２３及び下降操作スイッチ２４の両方を押し操作していないと、昇降装置１７の電動モータ２７は停止して、脚作用部３の電動モータは停止状態（自由回転状態）となる。
【００８８】
作業者が腰部を下に曲げて（膝部を曲げて腰部を落として）、パレットや床の荷物Ｂを持つ場合、作業者が下降操作スイッチ２４を押し操作すると、昇降装置１７において電動モータ２７が繰り出し側に作動し、ワイヤ１８，１９のインナー１８ａ，１９ａが繰り出されて、ハンド部２０が下降する。
【００８９】
下降操作スイッチ２４の押し操作を止めると、電動モータ２７が停止して、ハンド部２０が停止するので、作業者は、前述の（ハンド部による荷物の保持操作）に記載のように右及び左のハンド部２０により荷物Ｂを保持する。
【００９０】
作業者は、右及び左のハンド部２０により荷物Ｂを保持した状態で、腰部を上に延ばすことにより（立ち上がることにより）、荷物Ｂを持ち上げる。作業者が上昇操作スイッチ２３を押し操作すると、脚作用部３において操作アーム１２が下側に揺動操作され、作業者の太腿部が下側に操作されて、作業者が腰部を上に延ばすこと（立ち上がること）が補助される。
【００９１】
作業者が上昇操作スイッチ２３を押し操作した状態で立ち上がった後に、脚作用部３において、操作アーム１２が略真下に向く位置に達したことが検出されると、作業者が起立した（立ち上がった）と判断されて、脚作用部３の電動モータは停止状態（自由回転状態）となる。
【００９２】
次に作業者が上昇操作スイッチ２３を押し操作すると、昇降装置１７において、電動モータ２７が巻き取り側に作動し、ワイヤ１８，１９のインナー１８ａ，１９ａが巻き取られて、ハンド部２０が上昇する。所望の位置までハンド部２０が上昇すると、上昇操作スイッチ２３の押し操作を止めることにより、電動モータ２７が停止してハンド部２０が停止する。
【００９３】
作業者は、荷物Ｂを置くべき高い棚やトラックの荷台等へ歩いて移動する。作業者が高い棚やトラックの荷台等に到着して、作業者が下降操作スイッチ２４を押し操作すると、昇降装置１７において、電動モータ２７が繰り出し側に作動し、ワイヤ１８，１９のインナー１８ａ，１９ａが繰り出されて、ハンド部２０が下降する。
【００９４】
作業者は、荷物Ｂを高い棚やトラックの荷台等に置き、前述の（ハンド部による荷物の保持操作）に記載のように、ハンド部２０を荷物Ｂから取り外す。荷物Ｂを高い棚やトラックの荷台等に置くと、最初の状態に戻るので、次の荷物Ｂに対して同様な操作を行う。
【００９５】
（発明の実施の第１別形態）
ハンド部２０の平板状の内側部３２に代えて、図１３に示すように、複数の短冊状の内側部３２が、接続部３４から下側に延出されるように構成してもよい。この構造によると隣接する内側部３２の間が、目視部４７となる。
【００９６】
（発明の実施の第２別形態）
アシスト器具において、上昇操作スイッチ２３及び下降操作スイッチ２４を、取付部２１に設けてもよい。この構造によると、スイッチ操作部４０は不要になる。
【００９７】
上昇操作スイッチ２３を左のスイッチ操作部４０又は取付部２１に設け、下降操作スイッチ２４を右のスイッチ操作部４０又は取付部２１に設けてもよい。
上昇操作スイッチ２３及び下降操作スイッチ２４の両方を、右又は左の一方のスイッチ操作部４０又は取付部２１に設けてもよい。
【００９８】
（発明の実施の第３別形態）
アシスト器具において、右及び左のアーム部２を廃止して、１本のアーム部２を備えてもよい。
この構造によると、１本のアーム部２から２本のワイヤ１８を延出して、２本のワイヤ１８の一方に右の取付部２１（ハンド部２０）を接続し、２本のワイヤ１８の他方に左の取付部２１（ハンド部２０）を接続する。又は、１本のアーム部２から１本のワイヤ１８を延出し、１本のワイヤ１８の端部を二股状に分岐させて、分岐部分の一方に右の取付部２１（ハンド部２０）を接続し、分岐部分の他方に左の取付部２１（ハンド部２０）を接続する。
【００９９】
（発明の実施の第４別形態）
アシスト器具において、昇降装置１７、上昇操作スイッチ２３及び下降操作スイッチ２４を廃止して、ワイヤ１８，１９を本体部１やアーム部２に連結し、ハンド部２０の位置を固定して、ハンド部２０の昇降を行わないように構成してもよい。
【０１００】
（発明の実施の第５別形態）
アシスト器具において、脚作用部３を備えないように構成してもよい。本体部１を、作業者の背中部ではなく、作業者の肩部に取り付けるように構成してもよい。
ワイヤ１８，１９に代えて、合成樹脂製のベルト（図示せず）（吊り下げ機構に相当）や、金属製のチェーン（図示せず）（吊り下げ機構に相当）を使用してもよい。
【産業上の利用可能性】
【０１０１】
本発明は、作業者に装着されて作業者による荷物の保持を補助するアシスト器具に使用されるハンド部ばかりではなく、建物の天井部に支持されたウインチ等に使用されるハンド部にも適用できる。
【符号の説明】
【０１０２】
１８    ワイヤ（吊り下げ機構）
１９    ワイヤ（吊り下げ機構）
３０    横側部
３１    支持部
３１ａ  切り欠き部
３１ｂ  端部
３２    内側部
３２ｂ  開口部（目視部）
３３    上側部
３４    接続部
４６    持ち手部
４７    目視部
Ｂ      荷物
Ｂ１    横壁部
Ｂ４    リブ
Ｗ１    間隔
【図１】
2020040807.tif 000003
【図２】
2020040807.tif 000004
【図３】
2020040807.tif 000005
【図４】
2020040807.tif 000006
【図５】
2020040807.tif 000007
【図６】
2020040807.tif 000008
【図７】
2020040807.tif 000009
【図８】
2020040807.tif 000010
【図９】
2020040807.tif 000011
【図１０】
2020040807.tif 000012
【図１１】
2020040807.tif 000013
【図１２】
2020040807.tif 000014
【図１３】
2020040807.tif 000015